(57)【特許請求の範囲】
【請求項１】
天面壁と該天面壁の周縁から垂下するスカート壁とを具備する合成樹脂製容器蓋において、所要形状に圧縮成形又は射出成形した後に外面から切断刃を作用させて貫通切断することによって形成され且つ該天面壁の周縁部から該スカート壁の上部に渡って軸線方向に延びる切り込みが、周方向に間隔をおいて複数個配設されている、ことを特徴とする合成樹脂製容器蓋。
【請求項２】
天面壁と該天面壁の周縁から垂下するスカート壁とを具備する合成樹脂製容器蓋において、所要形状に圧縮成形又は射出成形した後に外面から切断刃を作用させて貫通切断することによって形成され且つ該天面壁の周縁部を周方向に延びる切り込みが、周方向に間隔をおいて複数個配設されている、ことを特徴とする合成樹脂製容器蓋。
【発明の詳細な説明】
【技術分野】
【０００１】
本発明は、容器の口頸部に容器蓋を装着した後に容器の口頸部を洗浄するための液体を容器蓋に向けて散布する場合に使用される、合成樹脂製容器蓋に関する。
【背景技術】
【０００２】
当業者には周知の如く、容器内に充填される飲料が容器の口頸部に付着する傾向がある場合、容器の口頸部に容器蓋を所要とおりに装着した後に、容器蓋に向けて温水の如き洗浄液体を散布している。かような洗浄液体散布が適用される場合に使用される合成樹脂製容器蓋として、下記特許文献１には、天面壁とこの天面壁の周縁から垂下するスカート壁とを具備し、天面壁の周縁部とスカート壁の上部との少なくとも一方には、周方向に間隔をおいて複数個の孔が形成されている容器蓋が開示されている。複数個の孔は容器蓋を射出或いは圧縮成形する時に成形される。かような容器蓋を容器の口頸部に装着した後に、容器蓋に向けて洗浄液体を散布すると、散布された洗浄液体が複数個の孔を透過して容器の口頸部に至り、かくして容器の口頸部が洗浄される。
【特許文献１】実公平４−５４１１９号公報
【発明の開示】
【発明が解決しようとする課題】
【０００３】
然るに、容器蓋を射出或いは圧縮成形する際に形成される複数個の孔を有する上記容器蓋には、複数個の孔に埃が堆積し或いは複数個の孔を通って埃が容器の口頸部に侵入する虞が少なくない、複数個の孔が視覚的に明確に認識され容器蓋の外観を損ねている、という問題を有する。
【０００４】
本発明は上記事実に鑑みてなされたものであり、その主たる技術的課題は、容器蓋に向けて散布された洗浄液体が透過して容器の口頸部に至ることは充分に許容するが、埃が堆積し或いは埃が透過して容器の口頸部に至ることは効果的に防止乃至抑制し、そしてまた洗浄液体を透過せしめるための手段が視覚的に認識され難く、それ故に洗浄液体を透過せしめるための手段に起因して外観が損なわれることが回避されている、新規且つ改良された合成樹脂製容器蓋を提供することである。
【課題を解決するための手段】
【０００５】
本発明者等は、鋭意研究及び実験の結果、外面から切断刃を作用させて貫通切断することによって形成され且つ天面壁の周縁部からスカート壁の上部に渡って軸線方向に延びる或いは天面壁の周縁部を周方向に延びる切り込みを、周方向に間隔をおいて複数個配設することによって、上記技術的課題を達成することができることを見出した。
【０００６】
即ち、本発明の第一の局面によれば、上記技術的課題を達成する合成樹脂製容器蓋として、天面壁と該天面壁の周縁から垂下するスカート壁とを具備する合成樹脂製容器蓋において、所要形状に圧縮成形又は射出成形した後に外面から切断刃を作用させて貫通切断することによって形成され且つ該天面壁の周縁部から該スカート壁の上部に渡って軸線方向に延びる切り込みが、周方向に間隔をおいて複数個配設されている、ことを特徴とする合成樹脂製容器蓋が提供される。
【０００７】
本発明の第二の局面によれば、上記技術的課題を達成する合成樹脂製容器蓋として、天面壁と該天面壁の周縁から垂下するスカート壁とを具備する合成樹脂製容器蓋において、所要形状に圧縮成形又は射出成形した後に外面から切断刃を作用させて貫通切断することによって形成され且つ該天面壁の周縁部を周方向に延びる切り込みが、周方向に間隔をおいて複数個配設されている、ことを特徴とする合成樹脂製容器蓋が提供される。
【発明の効果】
【０００８】
本発明に従って構成された合成樹脂製容器蓋においては、容器蓋に向けて散布された洗浄液体は充分確実に切り込みを透過して容器の口頸部に至るが、切り込みに埃が堆積し或いは埃が切り込みを透過して容器の口頸部に至ることは効果的に防止乃至抑制され、そしてまた洗浄液体を透過せしめるための切り込みは視覚的に認識され難く、それ故に切り込みによって外観が損なわれることはない。
【発明を実施するための最良の形態】
【０００９】
以下、本発明に従って構成された合成樹脂製容器蓋の好適実施形態を図示している添付図面を参照して、更に詳細に説明する。
【００１０】
図１を参照して説明すると、全体を番号２で示す本発明に従って構成された合成樹脂製容器蓋は、ポリプロピレン又は硬質ポリエチレンの如き適宜の合成樹脂から所要形状に圧縮成形又は射出成形し、更に後述するとおりの加工を加えることによって好都合に形成することができる。かかる容器蓋２は、円形天面壁４とこの天面壁４の周縁から垂下する略円筒形状のスカート壁６とを具備している。スカート壁６には周方向破断ライン８が形成されており、スカート壁６は周方向破断ライン８よりも上方の主部１０と周方向破断ライン８よりも下方のタンパーエビデント裾部１２とに区画されている。
【００１１】
図示の実施形態における周方向破断ライン８は、周方向に間隔をおいて配設された複数個の橋絡部１４を含んでいる。複数個の橋絡部１４以外の領域においては、スカート壁６の主部１０とタンパーエビデント裾部１２とは切断することによって相互に分離されている。換言すれば、タンパーエビデント裾部１２は複数個の橋絡部１４を介してスカート壁６の主部１０に接続されている。複数個の橋絡部１４のうちの相互に隣接して位置する２個（図示していない）は他の橋絡部１４よりも断面積が大きい高強度橋絡部である（これらの高強度橋絡部は後述する軸線方向破断ライン４２の両側に位置する）。更に詳述すると、図１から理解される如く、スカート壁６の内周面には、周方向破断ライン８よりも幾分上方に位置する、下方を向いた環状肩面１５が形成されている。そして、かかる環状肩面１５から下方に延びる突条１６が周方向に間隔をおいて複数個形成されている。周方向破断ライン８は、スカート壁６をその外周面から、上記高強度橋絡部の領域を除いて、上記突条１６の全体又は一部のみを残して切断（図１においてはかかる切断を実線１８で示している）することによって形成される。上記高強度橋絡部は、それらの領域においては突条１６のみならずスカート壁６も部分的に切断することなく残留せしめることによって形成することができる。
【００１２】
スカート壁６の主部１０の外周面には、その下端部近傍に、下方に向かって外径が漸次増大する円錐台形状部２０が形成されている。スカート壁６の主部１０の下端部（即ち円錐台形状部２０よりも下方の部分）及びこれに続くタンパーエビデント裾部１２の外周面も、下方に向かって外径が若干ではあるが漸次増大する円錐台形状にせしめられている。主部１０の外周面における円錐台形状部２０よりも上方の部分には、そこに掛けられる指の滑りを防止するための凹凸形状２４が形成されている。主部１０の内周面には雌螺条２６が形成されている。かかる雌螺条２６には、周方向に間隔をおいて軸線方向に延びる切欠２８が形成されている。切欠２８は容器の口頸部が開封される際の所謂通気路を構成する。天面壁４には内面周縁部から垂下する環状突条３０が形成されている。そして、かかる環状突条３０と天面壁４の内面とによって規定される空間には、容器蓋２の本体とは別個に形成された密封ライナー３２が配設されている。かかる密封ライナー３２は、天面壁４の内面に軟化溶融状態の合成樹脂素材を供給し、この合成樹脂素材を押圧工具によって圧縮することによって好都合に形成することができる。密封ライナー３２のための合成樹脂素材は、軟質ポリエチレンの如き比較的軟質の合成樹脂であるのが好適である。
【００１３】
タンパーエビデント裾部１２の内周面上部（上記突条１６の下端よりも若干下方）には、下方を向いた環状肩面３４が形成されている。そして、かかる環状肩面３４よりも下方において、タンパーエビデント裾部１２の内周面には、周方向に等間隔をおいて複数個のフラップ片３６が形成されている。フラップ片３６の各々は、タンパーエビデント裾部１２の内周面に接続された基縁３８から、容器の口頸部に容器蓋２を装着する際の容器蓋２の閉回転方向、即ち図１において上方から見て時計方向、に対して反対方向に向かって傾斜して半径方向内方に突出せしめられている。フラップ片３６の各々の基縁３８自体も、容器蓋２の上記閉回転方向に対して反対方向に傾斜して下方に延びている。タンパーエビデント裾部１２の下端には、半径方向内側に向かって弧状に延出せしめられている薄肉カール４０が付設されている。かかる薄肉カール４０は、圧縮成形又は射出成形においては図１に二点鎖線で図示する如く実質上鉛直に下方に延出する形態に形成し、しかる後に適宜の形態の加熱カール工具（図示していない）を作用せしめて、図１に実線で示す如き形態にカールすることによって好都合に形成することができる。
【００１４】
タンパーエビデント裾部１２には、更に、軸線方向破断ライン４２が形成されている。この軸線方向破断ライン４２は、上述した２個の高強度橋絡部間にてタンパーエビデント裾部１２を実質上鉛直に軸線方向に延びるスリットから構成することができる。図示の実施形態においては、軸線方向破断ライン４２を構成するスリットは、タンパーエビデント裾部１２の上端から下方に薄肉カール４０の上端まで連続して延びているが、薄肉カール４０へは全く延出していない。所望ならば、スリットを薄肉カール４０内に部分的に延在せしめ、或いは薄肉カール４０の先端まで延在せしめることもできる。
【００１５】
図１と共に図２を参照して説明を続けると、容器蓋２には周方向に間隔をおいて複数個の切り込み４４が形成されていることが重要である。図示の実施形態においては周方向に間隔をおいて８個の切り込み４４が形成されており、切り込み４４の各々は天面壁４の周縁部からスカート壁６の上部に渡って軸線方向に延びている。かような切り込み４４は、例えば、容器蓋２の天面壁４から下方に向けて平坦な切断刃（図示していない）を下降せしめて、天面壁４の周縁部からスカート壁６の上部に渡って貫通切断することによって好都合に形成することができる。
【００１６】
図３には容器の口頸部１１４に容器蓋２を所要とおりに装着した状態が図示されている。ガラス又はポリエチレンテレフタレートの如き適宜の合成樹脂から形成することができる容器の口頸部１１４は、全体として円筒形状であり、その外周面には雄螺条１１６とこの雄螺条１１６の下方に位置する環状係止あご部１１８とが形成されている。清涼飲料の如き適宜の内容物を容器に充填した後に、口頸部１１４に容器蓋２が装着される。この際には、口頸部１１４に容器蓋２が被嵌され、容器蓋２が閉回転方向、即ち図３において上方から見て時計方向に回転され、かくして容器蓋２における雌螺条２６が口頸部１１４の雄螺条１１６に螺合せしめられ、容器蓋２は回転に応じて下降せしめられる。容器蓋２のタンパーエビデント裾部１２に形成されているフラップ片３６は、弾性的に変形せしめられて口頸部１１４の係止あご部１１８を通過し、しかる後に弾性的に復元して係止あご部１１８に係止せしめられる。フラップ片３６が係止あご部１１８を通過する際には、タンパーエビデント裾部１２には半径方向外向きの力が作用し、かかる力に起因してタンパーエビデント裾部１２における軸線方向破断ライン４２を構成するスリットが拡張されんとするが、上述したとおりスリットの両側には高強度橋絡部（図示していない）が配置されており、かかる高強度橋絡部の保持作用によってスリットの望ましくない拡張は充分に防止される。容器蓋２における天面壁４の内面に配設されている密封ライナー３２は口頸部１１４の頂面部に密接せしめられ、これによって口頸部１１４が密封される。
【００１７】
容器蓋２には周方向に間隔をおいて８個の切り込み４４が形成されているが、上述したとおり切り込み４４は所要部位を切断刃によって貫通切断せしめることによって形成される故に、射出成形或いは圧縮成形によって形成されるスリット等と比べて著しく細くせしめることができる。従って、切り込み４４に埃が堆積する或いは切り込み４４を通って埃が容器の口頸部１１４の外周面に侵入することは充分に防止乃至抑制される。また、切り込み４４は視覚的に認識され難く、切り込み４４の存在に起因して容器蓋２の外観が大幅に損なわれることもない。一方、切り込み４４は著しく細いものであるが、本発明者等の経験によれば、容器の口頸部１１４に容器蓋２を装着した後に、例えば容器蓋２の切り込み４４が形成されている部位に向けて上方から水の如き適宜の洗浄液体を散布すると、かかる液体は充分確実に切り込み４４を透過して口頸部１１４の外周面に至り、それ故に口頸部１１４の外周面を充分良好に洗浄することができる。
【００１８】
容器の口頸部１１４を開封する際には、容器蓋１を開回転方向、即ち図３において上方から見て反時計方向に回転せしめる。かくすると、容器蓋２におけるスカート壁６の主部１０に形成されている雌螺条２６が容器の口頸部１１４に形成されている雄螺条１１６に沿って移動せしめられる故に、容器蓋２は回転と共に上昇せしめられる。然るに、容器蓋２のタンパーエビデント裾部１２は、その内周面に形成されているフラップ片３６が口頸部１１４の係止あご部１１８に係止せしめられているので、上方への移動が阻止される。従って、スカート壁６に配設されている周方向破断ライン８における橋絡部１４に相当な応力が生成され、かかる応力に起因して通常は全ての橋絡部１４（即ち、横断面積が比較的小さい橋絡部と共に横断面積が比較的大きい２個の高強度橋絡部）が破断される。また、タンパーエビデント裾部１２に付設されている薄肉カール４０も、肉厚が著しく薄い故に、タンパーエビデント裾部１２に形成されているスリット（軸線方向破断ライン４２を構成している）の延長線に沿って破断されることが少なくない。しかる後においては、タンパーエビデント裾部１２を口頸部１１４に残留せしめて、容器蓋２のその他の部分が回転と共に上昇せしめられて口頸部１１４から離脱される。かような開封操作の途中にて、容器蓋２が幾分か上昇されて密封ライナー３２が口頸部１１４の頂面部から離隔せしめられた際には、口頸部１１４の頂面と密封ライナー３２との間と共に容器蓋２の雌螺条２６に形成されている切欠２８（図１）を通して口頸部１１４内が外部に連通せしめられる。口頸部１１４に残留せしめられたタンパーエビデント裾部１２は、薄肉カール４０がスリットの延長線に沿って破断されていない場合にはこれを破断して、必要に応じて充分容易に口頸部１１４から離脱せしめることができる。
【００１９】
図４及び図５は、本発明に従って構成された合成樹脂製容器蓋の他の変形実施形態を図示している。この変形実施形態においては、周方向に間隔をおいて形成された８個の切り込み４４は、天面壁４の内面から垂下する環状突条３０よりも半径方向外側で天面壁４の周縁部を周方向に延びている。かような切り込み４４も、例えば、容器蓋２の天面壁４に向けて上方から、断面形状が弧状の切断刃（図示していない）を下降せしめ、天面壁４を貫通切断することによって好都合に形成することができる。図４及び図５に図示する変形実施形態の切り込み４４の構成以外は、図１及び図２に図する実施形態と実質上同一でよい。
【図面の簡単な説明】
【００２０】
【図１】本発明に従って構成された合成樹脂製容器蓋の好適実施形態を、一部を断面で示す正面図。
【図２】図１の容器蓋の平面図。
【図３】図１の容器蓋を容器の口頸部に被嵌した状態を、一部を断面で示す正面図。
【図４】本発明に従って構成された合成樹脂製容器蓋の他の実施形態を、一部を断面で示す正面図。
【図５】図４の容器蓋の平面図。
【符号の説明】
【００２１】
２：容器蓋
４：天面壁
６：スカート壁
８：周方向破断ライン
１０：スカート壁の主部
１２：タンパーエビデント裾部
３２：密封ライナー
３６：フラップ片
４０：薄肉カール
４２：軸線方向破断ライン
４４：切り込み
１１４：容器の口頸部
１１６：雄螺条
１１８：係止あご部
【図１】
0004634994.tif 000002
【図２】
0004634994.tif 000003
【図３】
0004634994.tif 000004
【図４】
0004634994.tif 000005
【図５】
0004634994.tif 000006